(57)【要約】  無線基地局ｅＮＢが、下りリンクデータを送信した場合に送信側タイマを起動し、送信側タイマの起動から満了までの間に下りリンクデータを送信しなかった場合に移動局ＵＥにおける下りリンクデータの受信周期を変更する。移動局ＵＥが、下りリンクデータを受信した場合に受信側タイマを起動し、受信側タイマの起動から満了までの間に下りリンクデータを受信しなかった場合に、移動局ＵＥにおける下りリンクデータの受信周期を変更する。受信側タイマは、送信側タイマよりも長くなるように設定されている。
2008139957.tif 000002
【特許請求の範囲】
【請求項１】
移動局及び無線基地局において、該無線基地局から該移動局に対して送信される下りリンクデータの該移動局における下りリンクデータの受信周期を制御する受信周期制御方法であって、
前記無線基地局が、前記移動局に対して下りリンクデータを送信した場合に、送信側タイマを起動する工程Ａと、
前記無線基地局が、前記送信側タイマの起動から満了までの間に、下りリンクデータを送信しなかった場合に、前記移動局における下りリンクデータの受信周期を変更する工程Ｂと、
前記移動局が、前記無線基地局から送信された下りリンクデータを受信した場合に、前記送信側タイマよりも長くなるように設定されている受信側タイマを起動する工程Ｃと、
前記移動局が、前記受信側タイマの起動から満了までの間に、下りリンクデータを受信しなかった場合に、該移動局における下りリンクデータの受信周期を変更する工程Ｄとを有することを特徴とする受信周期制御方法。
【請求項２】
前記工程Ｂ及び前記工程Ｄにおいて、前記移動局における下りリンクデータの受信周期を、連続受信周期から第１の間欠受信周期に変更することを特徴とする請求項１に記載の受信周期制御方法。
【請求項３】
前記工程Ｂ及び前記工程Ｄにおいて、前記移動局における下りリンクデータの受信周期を、第１の間欠受信周期から前記第１の間欠受信周期よりも長くなるように設定されている第２の間欠受信周期に変更することを特徴とする請求項１に記載の受信周期制御方法。
【請求項４】
移動局が、無線基地局から送信された下りリンクデータを受信した場合に、受信側タイマを起動し、該受信側タイマの起動から満了までの間に、下りリンクデータを受信しなかった場合に、該移動局における下りリンクデータの受信周期を変更するように構成されている移動通信システムで用いられる無線基地局であって、
前記移動局に対して下りリンクデータを送信した場合に、前記移動局に設けられている受信側タイマよりも短くなるように設定されている送信側タイマを起動するように構成されている送信側タイマ管理部と、
前記送信側タイマの起動から満了までの間に、下りリンクデータを送信しなかった場合に、前記移動局における下りリンクデータの受信周期を変更するように構成されている受信周期制御部とを具備することを特徴とする無線基地局。
【請求項５】
前記受信周期制御部は、前記送信側タイマの起動から満了までの間に、下りリンクデータを送信しなかった場合に、前記移動局における下りリンクデータの受信周期を、連続受信周期から第１の間欠受信周期に変更するように構成されていることを特徴とする請求項４に記載の無線基地局。
【請求項６】
前記受信周期制御部は、前記送信側タイマの起動から満了までの間に、下りリンクデータを送信しなかった場合に、前記移動局における下りリンクデータの受信周期を、第１の間欠受信周期から前記第１の間欠受信周期よりも長くなるように設定されている第２の間欠受信周期に変更するように構成されていることを特徴とする請求項４に記載の無線基地局。
【請求項７】
無線基地局が、移動局に対して下りリンクデータを送信した場合に、送信側タイマを起動し、該送信側タイマの起動から満了までの間に、下りリンクデータを送信しなかった場合に、該移動局における下りリンクデータの受信周期を変更するように構成されている移動通信システムで用いられる移動局であって、
前記無線基地局から送信された下りリンクデータを受信した場合に、前記無線基地局に設けられている送信側タイマよりも長くなるように設定されている受信側タイマを起動するように構成されている受信側タイマ管理部と、
前記受信側タイマの起動から満了までの間に、下りリンクデータを受信しなかった場合に、前記移動局における下りリンクデータの受信周期を変更するように構成されている受信周期制御部とを具備することを特徴とする移動局。
【請求項８】
前記受信周期制御部は、前記受信側タイマの起動から満了までの間に、下りリンクデータを受信しなかった場合に、前記移動局における下りリンクデータの受信周期を、連続受信周期から第１の間欠受信周期に変更するように構成されていることを特徴とする請求項７に記載の移動局。
【請求項９】
前記受信周期制御部は、前記受信側タイマの起動から満了までの間に、下りリンクデータを受信しなかった場合に、前記移動局における下りリンクデータの受信周期を、第１の間欠受信周期から前記第１の間欠受信周期よりも長くなるように設定されている第２の間欠受信周期に変更するように構成されていることを特徴とする請求項７に記載の移動局。
【発明の詳細な説明】
【技術分野】
【０００１】
本発明は、移動局及び無線基地局において該無線基地局から該移動局に対して送信される下りリンクデータの該移動局における下りリンクデータの受信周期を制御する受信周期制御方法、無線基地局及び移動局に関する。
【背景技術】
【０００２】
第３世代移動通信システムの標準化を行う団体である３ＧＰＰでは、無線アクセスネットワーク（ＲＡＮ：Ｒａｄｉｏ  Ａｃｃｅｓｓ  Ｎｅｔｗｏｒｋ）における劇的な伝送速度の向上と伝送遅延の短縮を実現するために、ＬＴＥ（Ｌｏｎｇ  Ｔｅｒｍ  Ｅｖｏｌｕｔｉｏｎ）と総称される検討を行っており、その検討にかかる要素技術の標準仕様策定を進めている。【０００３】
そして、ＬＴＥ等の無線アクセス方式では、移動局ＵＥにおける消費電力を節約するために、ＤＲＸ（Ｄｉｓｃｏｎｔｉｎｕｏｕｓ  Ｒｅｃｅｐｔｉｏｎ：間欠受信）技術が用いられるように構成されている。【０００４】
具体的には、ＬＴＥ方式の移動通信システムにおいて、無線基地局ｅＮＢ及び移動局ＵＥは、共に、Ｉｎａｃｔｉｖｅタイマを用いて、移動局ＵＥにおける下りリンクデータの受信周期を変更するように構成されている。
【非特許文献１】３ＧＰＰ  ＴＳＧ  ＲＡＮ  ＷＧ２  Ｍｅｅｔｉｎｇ  ＃５７ｂｉｓ  Ｒ２-０７１５５３、２００７年３月２６日
【発明の開示】
【０００５】
しかしながら、このような従来のＬＴＥ方式の移動通信システムでは、無線基地局ｅＮＢにおいて管理されている「移動局ＵＥにおける下りリンクデータの受信周期（連続受信周期又はＤＲＸ周期（間接受信周期））」と移動局ＵＥにおいて管理されている「移動局ＵＥにおける下りリンクデータの受信周期」とが不一致となることによって、下りリンクデータのロスが発生してしまう可能性があるという問題点があった。
【０００６】
ここで、図１を参照して、かかるケースの例について説明する。
【０００７】
図１に示すように、ステップＳ１００１において、移動局ＵＥ宛ての下りリンクデータが発生した場合、無線基地局ｅＮＢは、Ｌ１/Ｌ２制御チャネルを介して、連続受信周期で動作中の移動局ＵＥに対して、当該移動局ＵＥ宛ての下りリンクデータを送信するための下り共有チャネル（例えば、ＤＬ-ＳＣＨ：Ｄｏｗｎｌｉｎｋ  Ｓｈａｒｅｄ  Ｃｈａｎｎｅｌ）における送信機会を割り当てる旨を通知した後、かかる下り共有チャネルの送信機会を介して、当該移動局ＵＥに対して、当該移動局ＵＥ宛ての下りリンクデータを送信し、当該移動局ＵＥに係るＩｎａｃｔｉｖｅタイマＡを起動する。
【０００８】
ここで、無線基地局ｅＮＢによって管理されている当該移動局ＵＥにおける下りリンクデータの受信周期は、連続受信周期である。
【０００９】
ステップＳ１００２において、連続受信周期で動作中の移動局ＵＥは、上述の下りリンクデータを受信すると、ＩｎａｃｔｉｖｅタイマＢを起動すると共に、上り共有チャネルを介して、当該下りリンクデータに対する送達確認信号（Ａｃｋ）を送信する。
【００１０】
ステップＳ１００３において、移動局ＵＥ宛ての下りリンクデータが発生した場合、無線基地局ｅＮＢは、Ｌ１/Ｌ２制御チャネルを介して、連続受信周期で動作中の移動局ＵＥに対して、当該移動局ＵＥ宛ての下りリンクデータを送信するための下り共有チャネルの送信機会を割り当てる旨を通知した後、かかる下り共有チャネルの送信機会を介して、移動局ＵＥに対して、当該移動局ＵＥ宛ての下りリンクデータを送信し、当該移動局ＵＥに係るＩｎａｃｔｉｖｅタイマＡを再起動（リスタート）する。
【００１１】
ここで、連続受信周期で動作中の移動局ＵＥは、Ｌ１/Ｌ２制御チャネルを介した無線基地局ｅＮＢからの通知の受信に失敗し、上述の下りリンクデータが送信されたことを検知することができないため、当該下りリンクデータを受信することができないし、当該下りリンクデータに対する送達確認信号（Ａｃｋ/Ｎａｃｋ）を送信することもできない。
【００１２】
一方、ステップＳ１００４において、無線基地局ｅＮＢは、移動局ＵＥによって上述の下りリンクデータに対する送達確認信号（Ａｃｋ/Ｎａｃｋ）が送信されていないにも関わらず、上述の下りリンクデータに対する送達確認信号（Ａｃｋ）を受信したものと判定してしまう（Ｆａｌｓｅ  Ａｃｋ状態）。
【００１３】
その後、連続受信周期で動作中の移動局ＵＥは、ＩｎａｃｔｉｖｅタイマＢの起動から満了までの間に、下りリンクデータを受信しなかったため、ステップＳ１００５において、下りリンクデータの受信周期を、連続受信周期からＤＲＸ周期に変更する。
【００１４】
ここで、ＩｎａｃｔｉｖｅタイマＡは、未だ満了していないため（ステップＳ１００３において再起動されている関係上）、無線基地局ｅＮＢによって管理されている当該移動局ＵＥにおける下りリンクデータの受信周期は、連続受信周期のままである。
【００１５】
したがって、ステップＳ１００６において、移動局ＵＥ宛ての下りリンクデータが発生した場合、無線基地局ｅＮＢは、Ｌ１/Ｌ２制御チャネルを介して、連続受信周期で動作中の移動局ＵＥに対して、当該移動局ＵＥ宛ての下りリンクデータを送信するための下り共有チャネルの送信機会を割り当てる旨を通知した後、かかる下り共有チャネルの送信機会を介して、移動局ＵＥに対して、当該移動局ＵＥ宛ての下りリンクデータを送信し、当該移動局ＵＥに係るＩｎａｃｔｉｖｅタイマＡを再起動する。
【００１６】
しかしながら、移動局ＵＥは、ＤＲＸ周期で動作中であるため、かかる下りリンクデータを受信することができない。
【００１７】
そこで、本発明は、上述の課題に鑑みてなされたものであり、無線基地局ｅＮＢにおいて管理されている「移動局ＵＥにおける下りリンクデータの受信周期」と移動局ＵＥにおいて管理されている「移動局ＵＥにおける下りリンクデータの受信周期」とが不一致となることによって、下りリンクデータのロスが発生してしまう可能性を低減することができる受信周期制御方法、無線基地局及び移動局を提供することを目的とする。
【００１８】
本発明の第１の特徴は、移動局及び無線基地局において、該無線基地局から該移動局に対して送信される下りリンクデータの該移動局における下りリンクデータの受信周期を制御する受信周期制御方法であって、前記無線基地局が、前記移動局に対して下りリンクデータを送信した場合に、送信側タイマを起動する工程Ａと、前記無線基地局が、前記送信側タイマの起動から満了までの間に、下りリンクデータを送信しなかった場合に、前記移動局における下りリンクデータの受信周期を変更する工程Ｂと、前記移動局が、前記無線基地局から送信された下りリンクデータを受信した場合に、受信側タイマを起動する工程Ｃと、前記移動局が、前記受信側タイマの起動から満了までの間に、下りリンクデータを受信しなかった場合に、該移動局における下りリンクデータの受信周期を変更する工程Ｄとを有し、前記受信側タイマは、前記送信側タイマよりも長くなるように設定されていることを要旨とする。
【００１９】
本発明の第１の特徴において、前記工程Ｂ及び前記工程Ｄにおいて、前記移動局における下りリンクデータの受信周期を、連続受信周期から第１の間欠受信周期に変更してもよい。
【００２０】
本発明の第１の特徴において、前記工程Ｂ及び前記工程Ｄにおいて、前記移動局における下りリンクデータの受信周期を、第１の間欠受信周期から第２の間欠受信周期に変更し、前記第２の間欠受信周期は、前記第１の間欠受信周期よりも長くなるように設定されていてもよい。
【００２１】
本発明の第２の特徴は、移動局が、無線基地局から送信された下りリンクデータを受信した場合に、受信側タイマを起動し、該受信側タイマの起動から満了までの間に、下りリンクデータを受信しなかった場合に、該移動局における下りリンクデータの受信周期を変更するように構成されている移動通信システムで用いられる無線基地局であって、前記移動局に対して下りリンクデータを送信した場合に、送信側タイマを起動するように構成されている送信側タイマ管理部と、前記送信側タイマの起動から満了までの間に、下りリンクデータを送信しなかった場合に、前記移動局における下りリンクデータの受信周期を変更するように構成されている受信周期制御部とを具備し、前記送信側タイマ管理部は、前記送信側タイマを、前記移動局に設けられている受信側タイマよりも短くなるように設定していることを要旨とする。
【００２２】
本発明の第２の特徴において、前記受信周期制御部は、前記送信側タイマの起動から満了までの間に、下りリンクデータを送信しなかった場合に、前記移動局における下りリンクデータの受信周期を、連続受信周期から第１の間欠受信周期に変更するように構成されていてもよい。
【００２３】
本発明の第２の特徴において、前記受信周期制御部は、前記送信側タイマの起動から満了までの間に、下りリンクデータを送信しなかった場合に、前記移動局における下りリンクデータの受信周期を、第１の間欠受信周期から第２の間欠受信周期に変更するように構成されており、前記第２の間欠受信周期は、前記第１の間欠受信周期よりも長くなるように設定されていてもよい。
【００２４】
本発明の第３の特徴は、無線基地局が、前記移動局に対して下りリンクデータを送信した場合に、前記送信側タイマを起動し、該送信側タイマの起動から満了までの間に、下りリンクデータを送信しなかった場合に、該移動局における下りリンクデータの受信周期を変更するように構成されている移動通信システムで用いられる移動局であって、前記無線基地局から送信された下りリンクデータを受信した場合に、受信側タイマを起動するように構成されている受信側タイマ管理部と、前記受信側タイマの起動から満了までの間に、下りリンクデータを受信しなかった場合に、前記移動局における下りリンクデータの受信周期を変更するように構成されている受信周期制御部とを具備し、前記受信側タイマ管理部は、前記受信側タイマを、前記無線基地局に設けられている送信側タイマよりも長くなるように設定していることを要旨とする。
【００２５】
本発明の第３の特徴において、前記受信周期制御部は、前記受信側タイマの起動から満了までの間に、下りリンクデータを受信しなかった場合に、前記移動局における下りリンクデータの受信周期を、連続受信周期から第１の間欠受信周期に変更するように構成されていてもよい。
【００２６】
本発明の第３の特徴において、前記受信周期制御部は、前記受信側タイマの起動から満了までの間に、下りリンクデータを受信しなかった場合に、前記移動局における下りリンクデータの受信周期を、第１の間欠受信周期から第２の間欠受信周期に変更するように構成されており、前記第２の間欠受信周期は、前記第１の間欠受信周期よりも長くなるように設定されていてもよい。
【００２７】
以上説明したように、本発明によれば、無線基地局ｅＮＢにおいて管理されている「移動局ＵＥにおける下りリンクデータの受信周期」と移動局ＵＥにおいて管理されている「移動局ＵＥにおける下りリンクデータの受信周期」とが不一致となることによって、下りリンクデータのロスが発生してしまう可能性を低減することができる受信周期制御方法、無線基地局及び移動局を提供することができる。
【図面の簡単な説明】
【００２８】
【図１】図１は、従来の移動通信システムの動作を説明するための図である。
【図２】図２は、本発明の第１の実施形態に係る移動通信システムの全体構成図である。
【図３】図３は、本発明の第１の実施形態に係る移動局の機能ブロック図である。
【図４】図４は、本発明の第１の実施形態に係る無線基地局の機能ブロック図である。
【図５】図５は、本発明の第１の実施形態に係る移動通信システムの動作を説明するための図である。
【図６】図６は、本発明の実施形態に係る移動局のハードウエア構成の一例を示す図である。
【発明を実施するための最良の形態】
【００２９】
（本発明の第１の実施形態に係る移動通信システムの構成）
図２乃至図４を参照して、本発明の第１の実施形態に係る移動通信システムの構成について説明する。【００３０】
なお、本実施形態では、図２に示すように、３ＧＰＰで標準化が進められているＬＴＥ/ＳＡＥ（Ｓｙｓｔｅｍ  Ａｒｃｈｉｔｅｃｔｕｒｅ  Ｅｖｏｌｕｔｉｏｎ）のアーキテクチャを具備する移動通信システムを例として説明を行うが、本発明は、かかる移動通信システムに限定されるものではなく、その他のアーキテクチャを具備する移動通信システムにも適用可能である。【００３１】
本実施形態に係る移動通信システムは、図２に示すように、無線基地局ｅＮＢと、移動局ＵＥとを具備している。【００３２】
無線基地局ｅＮＢは、Ｌ１/Ｌ２制御チャネルを介して、移動局ＵＥに対して、当該移動局ＵＥ宛ての下りリンクデータを送信するための下り共有チャネルの送信機会を割り当てる旨を通知するように構成されている。【００３３】
また、無線基地局ｅＮＢは、移動局ＵＥに対して、当該移動局ＵＥに割り当てた下り共有チャネルの送信機会を介して、当該移動局ＵＥ宛ての下りリンクデータを送信するように構成されている。【００３４】
また、移動局ＵＥは、上り共有チャネルを介して、上りリンクデータ（例えば、ユーザデータや、下りリンクデータに対する送達確認信号等）を送信するように構成されている。【００３５】
図３に示すように、本実施形態に係る移動局ＵＥは、受信処理部１１と、割当検知部１２と、Ｉｎａｃｔｉｖｅタイマ管理部１３と、受信周期制御部１４とを具備している。【００３６】
割当検知部１２は、Ｌ１/Ｌ２制御チャネルを監視して、当該移動局ＵＥに対して、当該移動局ＵＥ宛ての下りリンクデータを送信するための下り共有チャネルの送信機会が割り当てられたことを検知するように構成されている。【００３７】
ここで、割当検知部１２は、受信周期制御部１４によって管理されている当該移動局ＵＥにおける下りリンクデータの受信周期に基づいて、Ｌ１/Ｌ２制御チャネルを監視する周期（タイミング）を変更するように構成されている。【００３８】
受信処理部１１は、割当検知部１２によって、当該移動局ＵＥに対して下り共有チャネルの送信機会が割り当てられたことが検知された場合、かかる送信機会において無線基地局ｅＮＢから送信された当該移動局ＵＥ宛ての下りリンクデータに対して受信処理を行うように構成されている。【００３９】
例えば、受信処理部１１は、ＭＡＣサブレイヤにおいて、当該移動局ＵＥ宛ての下りリンクデータに対する受信処理（例えば、誤り訂正復号処理）に成功した場合、当該下りリンクデータに対する送達確認信号（Ａｃｋ）を送信し、当該移動局ＵＥ宛ての下りリンクデータに対する受信処理（例えば、誤り訂正復号処理）に失敗した場合、当該下りリンクデータに対する送達確認信号（Ｎａｃｋ）を送信するように構成されている。【００４０】
受信周期制御部１４は、当該移動局ＵＥにおける下りリンクデータの受信周期を制御するように構成されている。【００４１】
具体的には、受信周期制御部１４は、ＩｎａｃｔｉｖｅタイマＢ（受信側タイマ）の起動から満了までの間に、下りリンクデータを受信しなかった場合に、当該移動局ＵＥにおける下りリンクデータの受信周期を変更するように構成されている。【００４２】
例えば、当該移動局ＵＥが連続受信周期で動作している場合に、ＩｎａｃｔｉｖｅタイマＢの起動から満了までの間に、下りリンクデータが受信されなかった場合には、受信周期制御部１４は、当該移動局ＵＥにおける下りリンクデータの受信周期を、連続受信周期から第１のＤＲＸ周期に変更するように構成されていてもよい。【００４３】
また、当該移動局ＵＥが第１のＤＲＸ周期で動作している場合、ＩｎａｃｔｉｖｅタイマＢの起動から満了までの間に、下りリンクデータが受信されなかった場合には、受信周期制御部１４は、当該移動局ＵＥにおける下りリンクデータの受信周期を、第１のＤＲＸ周期から第２のＤＲＸ周期（第２の間欠受信周期）に変更するように構成されていてもよい。ここで、第２のＤＲＸ周期は、第１のＤＲＸ周期よりも長くなるように設定されているものとする。【００４４】
Ｉｎａｃｔｉｖｅタイマ管理部１３は、ＩｎａｃｔｉｖｅタイマＢを管理するように構成されている。【００４５】
例えば、Ｉｎａｃｔｉｖｅタイマ管理部１３は、無線基地局ｅＮＢから送信された下りリンクデータが受信された場合に、ＩｎａｃｔｉｖｅタイマＢを起動するように構成されている。【００４６】
ここで、Ｉｎａｃｔｉｖｅタイマ管理部１３は、割当検知部１２によって当該移動局ＵＥに対して下り共有チャネルの送信機会が割り当てられたことが検知された場合に、無線基地局ｅＮＢから送信された下りリンクデータが受信されたと判断してもよいし、受信処理部１１によって当該移動局ＵＥ宛ての下りリンクデータに対する受信処理（例えば、誤り訂正復号処理）が成功された場合に、無線基地局ｅＮＢから送信された下りリンクデータが受信されたと判断してもよい。【００４７】
また、Ｉｎａｃｔｉｖｅタイマ管理部１３は、ＩｎａｃｔｉｖｅタイマＢを、無線基地局ｅＮＢに設けられているＩｎａｃｔｉｖｅタイマＡ（後述）よりも長くなるように設定している。【００４８】
図４に示すように、無線基地局ｅＮＢは、受信周期制御部３１と、Ｉｎａｃｔｉｖｅタイマ管理部３２と、割当部３３と、送信部３４とを具備している。【００４９】
割当部３３は、移動局ＵＥ宛ての下りリンクデータが発生した場合、Ｌ１/Ｌ２制御チャネルを介して、移動局ＵＥに対して、当該移動局ＵＥ宛ての下りリンクデータを送信するための下り共有チャネルの送信機会を割り当てる旨を通知するように構成されている。【００５０】
なお、割当部３３は、移動局ＵＥにおける下りリンクデータの受信周期を考慮して、上述の通知を行うように構成されている。【００５１】
送信部３４は、移動局ＵＥに対して、割当部３３によって当該移動局ＵＥに割り当てた下り共有チャネルの送信機会を介して、当該移動局ＵＥ宛ての下りリンクデータを送信するように構成されている。【００５２】
受信周期制御部３１は、各移動局ＵＥにおける下りリンクデータの受信周期を制御するように構成されている。【００５３】
具体的には、受信周期制御部３１は、ある移動局ＵＥに係るＩｎａｃｔｉｖｅタイマＡ（送信側タイマ）の起動から満了までの間に、送信部３４によって当該移動局ＵＥに対して下りリンクデータが送信されなかった場合に、当該移動局ＵＥにおける下りリンクデータの受信周期を変更するように構成されている。【００５４】
例えば、ある移動局ＵＥが、連続受信周期で動作している場合に、送信部３４が、当該移動局ＵＥに係るＩｎａｃｔｉｖｅタイマＡの起動から満了までの間に、当該移動局ＵＥに対して下りリンクデータを送信しなかった場合には、受信周期制御部３１は、当該移動局ＵＥにおける下りリンクデータの受信周期を、連続受信周期から第１のＤＲＸ周期に変更するように構成されていてもよい。【００５５】
また、ある移動局ＵＥが、第１のＤＲＸ周期で動作している場合に、送信部３４が、当該移動局ＵＥに係るＩｎａｃｔｉｖｅタイマＡの起動から満了までの間に、当該移動局ＵＥに対して下りリンクデータを送信しなかった場合には、受信周期制御部３１は、当該移動局ＵＥにおける下りリンクデータの受信周期を、第１のＤＲＸ周期から第２のＤＲＸ周期に変更するように構成されていてもよい。【００５６】
Ｉｎａｃｔｉｖｅタイマ管理部３２は、各移動局ＵＥに係るＩｎａｃｔｉｖｅタイマＡを管理するように構成されている。【００５７】
例えば、Ｉｎａｃｔｉｖｅタイマ管理部３２は、移動局ＵＥに対して下りリンクデータが送信された場合に、当該移動局ＵＥに係るＩｎａｃｔｉｖｅタイマＡを起動するように構成されている。【００５８】
また、Ｉｎａｃｔｉｖｅタイマ管理部３２は、各移動局ＵＥに係るＩｎａｃｔｉｖｅタイマＡを、各移動局ＵＥに設けられているＩｎａｃｔｉｖｅタイマＢよりも短くなるように設定している。【００５９】
なお、図３に示す移動局ＵＥ及び図４に示す無線基地局ｅＮＢを構成する機能（モジュール）の一部又は全部は、汎用プロセッサや、ＤＳＰ（Ｄｉｇｉｔａｌ  Ｓｉｇｎａｌ  Ｐｒｏｓｅｓｓｏｒ）や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）や、ＦＰＧＡ（Ｆｉｅｌｄ  Ｐｒｏｇｒａｍｍａｂｌｅ  Ｇａｔｅ  Ａｒｒａｙ）や、ディスクリート・ゲート又はトランジスタ・ロジックや、ディスクリート・ハードウェア・コンポーネントや、これらの任意の組み合わせ等で実現されるように構成されていてもよい。【００６０】
例えば、図６に示すように、移動局ＵＥが、無線信号処理を行うＲＦ／ＩＦユニット５１と、ベースバンド信号処理を行うプロセッサ５２と、アプリケーションを実行するＭＰＵ（Ｍｉｃｒｏ Ｐｒｏｃｅｓｓｉｎｇ Ｕｎｉｔ）５３と、ＲＡＭ（Ｒａｎｄｏｍ  Ａｃｃｅｓｓ  Ｍｅｍｏｒｙ）５４と、ＲＯＭ（Ｒｅａｄ  Ｏｎｌｙ  Ｍｅｍｏｒｙ）５５とを備える場合を例に挙げて説明する。【００６１】
かかる場合、移動局ＵＥのプロセッサ５２が、汎用プロセッサや、ＤＳＰや、ＡＳＩＣや、ＦＰＧＡや、ディスクリート・ゲート又はトランジスタ・ロジックや、ディスクリート・ハードウェア・コンポーネントや、これらの任意の組み合わせ等で構成され、図３に示す移動局ＵＥを構成する機能（モジュール）の一部又は全部を実現してもよい。なお、ここでは、移動局ＵＥを例に挙げて説明したが、無線基地局ｅＮＢが、上述した構成のプロセッサによって、図４に示す無線基地局ｅＮＢを構成する機能（モジュール）の一部又は全部を実現するように構成されていてもよい。【００６２】
ここで、汎用プロセッサは、マイクロプロセッサであってもよいし、従来のプロセッサやコントローラやマイクロコントローラやステートマシンであってもよい。【００６３】
また、プロセッサは、例えば、ＤＳＰとマイクロプロセッサとの組み合わせや、複数のマイクロプロセッサの組み合わせや、１つ又は複数のマイクロプロセッサとＤＳＰコアとの組み合わせ等、任意のコンピューティングデバイスの組み合わせとして実装されていてもよい。【００６４】
（本発明の第１の実施形態に係る移動通信システムの動作）
図５を参照して、本発明の第１の実施形態に係る移動通信システムの動作について説明する。【００６５】
図５に示すように、ステップＳ１０１において、移動局ＵＥ宛ての下りリンクデータが発生した場合、無線基地局ｅＮＢは、Ｌ１/Ｌ２制御チャネルを介して、連続受信周期で動作中の移動局ＵＥに対して、当該移動局ＵＥ宛ての下りリンクデータを送信するための下り共有チャネルにおける送信機会を割り当てる旨を通知した後、かかる下り共有チャネルの送信機会を介して、当該移動局ＵＥに対して、当該移動局ＵＥ宛ての下りリンクデータを送信し、当該移動局ＵＥに係るＩｎａｃｔｉｖｅタイマＡを起動する。【００６６】
ここで、無線基地局ｅＮＢによって管理されている当該移動局ＵＥにおける下りリンクデータ受信周期は、連続受信周期である。【００６７】
ステップＳ１０２において、連続受信周期で動作中の移動局ＵＥは、上述の下りリンクデータを受信すると、ＩｎａｃｔｉｖｅタイマＢを起動すると共に、上り共有チャネルを介して、当該下りリンクデータに対する送達確認信号（Ａｃｋ）を送信する。【００６８】
ステップＳ１０３において、移動局ＵＥ宛ての下りリンクデータが発生した場合、無線基地局ｅＮＢは、Ｌ１/Ｌ２制御チャネルを介して、連続受信周期で動作中の移動局ＵＥに対して、当該移動局ＵＥ宛ての下りリンクデータを送信するための下り共有チャネルの送信機会を割り当てる旨を通知した後、かかる下り共有チャネルの送信機会を介して、移動局ＵＥに対して、当該移動局ＵＥ宛ての下りリンクデータを送信し、当該移動局ＵＥに係るＩｎａｃｔｉｖｅタイマＡを再起動する。【００６９】
ここで、連続受信周期で動作中の移動局ＵＥは、Ｌ１/Ｌ２制御チャネルを介した無線基地局ｅＮＢからの通知の受信に失敗し、上述の下りリンクデータが送信されたことを検知することができないため、当該下りリンクデータを受信することができないし、当該下りリンクデータに対する送達確認信号（Ａｃｋ/Ｎａｃｋ）を送信することもできない。【００７０】
一方、ステップＳ１０４において、無線基地局ｅＮＢは、移動局ＵＥによって上述の下りリンクデータに対する送達確認信号（Ａｃｋ/Ｎａｃｋ）が送信されていないにも関わらず、上述の下りリンクデータに対する送達確認信号（Ａｃｋ）を受信したものと判定してしまう（Ｆａｌｓｅ  Ａｃｋ状態）。【００７１】
ここで、ＩｎａｃｔｉｖｅタイマＡは、未だ満了していないため（ステップＳ１０３において再起動されている関係上）、無線基地局ｅＮＢによって管理されている当該移動局ＵＥにおける下りリンクデータの受信周期は、連続受信周期のままである。【００７２】
したがって、ステップＳ１０５において、移動局ＵＥ宛ての下りリンクデータが発生した場合、無線基地局ｅＮＢは、Ｌ１/Ｌ２制御チャネルを介して、連続受信周期で動作中の移動局ＵＥに対して、当該移動局ＵＥ宛ての下りリンクデータを送信するための下り共有チャネルの送信機会を割り当てる旨を通知した後、かかる下り共有チャネルの送信機会を介して、移動局ＵＥに対して、当該移動局ＵＥ宛ての下りリンクデータを送信し、当該移動局ＵＥに係るＩｎａｃｔｉｖｅタイマＡを再起動する。【００７３】
ここで、本実施形態では、当該移動局ＵＥに設けられているＩｎａｃｔｉｖｅタイマＢが、当該移動局ＵＥに係るＩｎａｃｔｉｖｅタイマＡよりも長くなるように設定されているため、例えば、図５に示すように、当該移動局ＵＥに係るＩｎａｃｔｉｖｅタイマＡが、（Ｔ１ -Ｔ０ ）の長さであるのに対して、当該移動局ＵＥに設けられているＩｎａｃｔｉｖｅタイマＢが、（Ｔ３ -Ｔ２ ）の長さであるので、ステップＳ１０５において、ＩｎａｃｔｉｖｅタイマＢも、未だ満了しておらず、移動局ＵＥは、連続受信周期で動作中であり、上述の下りリンクデータを受信することができ、ＩｎａｃｔｉｖｅタイマＢを再起動すると共に、上り共有チャネルを介して、当該下りリンクデータに対する送達確認信号（Ａｃｋ）を送信することができる。【００７４】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。【００７５】
より一般的には、ＲＲＣ、ＲＬＣ、ＭＡＣ、ＰＨＹといった無線プロトコルをサポートしたソフトウェアをプロトコルスタック（ソフトウェア）と呼び、このソフトウェアのうち、より低位のプロトコル（例えば、ＰＨＹ、ＭＡＣ）程、半導体プロセッサとしてハードウェア化される傾向にある。特に移動局ＵＥにおいては小型化、省電力化の要求から、半導体プロセッサとしてハードウェア化する傾向にある。さらに、小型基地局（フェムトセル・ＨｏｍｅｅＮＢ）においても同様な小型化、省電力化のニーズがあることから、半導体プロセッサとしてハードウェア化されてもよい。【００７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。【００７８】
（本発明の第１の実施形態に係る移動通信システムの作用・効果）
本発明の第１の実施形態に係る移動通信システムによれば、無線基地局ｅＮＢに設けられているＩｎａｃｔｉｖｅタイマＡよりも移動局ＵＥに設けられているＩｎａｃｔｉｖｅタイマＢを長くすることによって、無線基地局ｅＮＢの受信周期制御部３１において管理されている移動局ＵＥにおける下りリンクデータの受信周期と当該移動局ＵＥの受信周期制御部１４において管理されている当該移動局ＵＥにおける下りリンクデータの受信周期とが不一致となることによって、下りリンクデータのロスが発生してしまう可能性を低減することができる。【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【００８０】
なお、日本国特許出願第２００７−１２１１９８号（２００７年５月１日出願）の全内容が、参照により、本願明細書に組み込まれている。
【産業上の利用の可能性】
【００８１】
以上のように、本発明に係る受信周期制御方法、無線基地局及び移動局は、無線基地局ｅＮＢにおいて管理されている「移動局ＵＥにおける下りリンクデータの受信周期」と移動局ＵＥにおいて管理されている「移動局ＵＥにおける下りリンクデータの受信周期」とが不一致となることによって、下りリンクデータのロスが発生してしまう可能性を低減することができるため、移動体通信などの無線通信において有用である。
【図１】
2008139957.tif 000003
【図２】
2008139957.tif 000004
【図３】
2008139957.tif 000005
【図４】
2008139957.tif 000006
【図５】
2008139957.tif 000007
【図６】
2008139957.tif 000008
【国際調査報告】
2008139957.tif 000009
2008139957.tif 000010